(57)【要約】【課題】  視認者の視点と灯具との相対的位置の変化に応じて光が変化するように見える灯具を提供することを目的とする。【解決手段】  導光板４と、導光板４の側面から導光板４に入射する光を出射する光源５と、を備え、導光板４の表面には、凸レンズ部４１が少なくとも一つの方向に沿って複数並列され、導光板４の裏面には、光源５からの光を導光板４の表面から出射するように反射させる光反射部４２と光反射部４２が形成されない非形成部４３とが、凸レンズ部４１が並列される方向に沿って交互に複数形成され、導光板４の厚さ方向に平行な方向から見る平面視において、それぞれの凸レンズ部４１と少なくとも一つの光反射部４２とが互いに重なる領域を有する。【選択図】    図４
2018063890.tif 000002
【特許請求の範囲】
【請求項１】
導光板と、
前記導光板の側面から前記導光板に入射する光を出射する光源と、
を備え、
前記導光板の表面には、凸レンズ部が少なくとも一つの方向に沿って複数並列され、
前記導光板の裏面には、前記光を前記表面から出射するように反射させる光反射部と前記光反射部が形成されない非形成部とが、前記凸レンズ部が並列される方向に沿って交互に複数形成され、
前記導光板の厚さ方向に平行な方向から見る平面視において、それぞれの前記凸レンズ部と少なくとも一つの前記光反射部とが互いに重なる領域を有する
ことを特徴とする灯具。
【請求項２】
複数の前記光反射部が複数の光反射部群に分けられ、
それぞれの前記光反射部群は、前記導光板の平面視において、それぞれ互いに異なる所定の領域の少なくとも外周上に形成され、
それぞれの前記光反射部群で反射されて前記導光板の表面から出射する前記光は、それぞれ互いに異なる視点から視認可能である
ことを特徴とする請求項１に記載の灯具。
【請求項３】
複数の前記凸レンズ部が並列される方向に直交する方向にそれぞれの前記所定の領域が延在し、
それぞれの前記光反射部群で反射されて前記導光板の表面から出射する前記光を視認可能な前記視点の位置は、複数の前記凸レンズ部が並列される方向に沿って変化する
ことを特徴とする請求項２項に記載の灯具。
【請求項４】
前記導光板の平面視において、それぞれの前記光反射部群が形成される前記所定の領域の少なくとも一部が互いに重なる
ことを特徴とする請求項２または３に記載の灯具。
【請求項５】
前記導光板の平面視において、それぞれの前記光反射部群が形成される前記所定の領域の外形が互いに異なる形状である
ことを特徴とする請求項２から４のいずれか１項に記載の灯具。
【請求項６】
複数の前記凸レンズ部は、複数の前記凸レンズ部が並列する方向に対して直交する方向に延在するシリンドリカルレンズである
ことを特徴とする請求項１から５のいずれか１項に記載の灯具。
【請求項７】
複数の前記凸レンズ部は、互いに直交するそれぞれの方向に並列される
ことを特徴とする請求項１から５のいずれか１項に記載の灯具。
【請求項８】
複数の前記凸レンズ部が並列する少なくとも一つの方向に沿って前記表面及び前記裏面が湾曲している
ことを特徴とする請求項１から７のいずれか１項に記載の灯具。
【発明の詳細な説明】
【技術分野】
【０００１】
本発明は、導光板を備える灯具に関する。
【背景技術】
【０００２】
灯具は、その用途によって意匠性の向上に寄与することを要求される場合がある。例えば、車両の外側に設けられる灯具は、車両の外観の一部を構成するため、意匠性が特に重要視される。このような灯具の意匠性を向上させる方法としては、例えば、灯具のうち光が出射する出射面を所望の形状とすることが考えられる。
【０００３】
上記のように出射面を所望の形状とする方法としては、例えば、下記特許文献１に開示されている車両用灯具のように湾曲した導光板を用いることが考えられる。下記特許文献１には、光源と、光源からの光が入射する湾曲した導光板と、を備える車両用灯具が開示されている。この車両用灯具によれば、導光板の後端面から光が入射される場合であっても導光板が均一に発光しているように見せることができる。
【先行技術文献】
【特許文献】
【０００４】
【特許文献１】特開２０１３−１６３８６号公報
【発明の概要】
【発明が解決しようとする課題】
【０００５】
上記特許文献１に開示されているように、従来の導光板を用いた灯具は、導光板の出射面の全体から光が均一に出射されるように構成することを目指して設計されている。しかし、本発明者は、視認者の視点と灯具との相対的位置の変化に応じて光が点滅して見えたり発光箇所が異なるように見えたりすることによって、灯具の意匠性が向上されると考えた。
【０００６】
そこで、本発明は、視認者の視点と灯具との相対的位置の変化に応じて光が変化するように見せることができる灯具を提供することを目的とする。
【課題を解決するための手段】
【０００７】
上記課題を解決するため、本発明の灯具は、導光板と、前記導光板の側面から前記導光板に入射する光を出射する光源と、を備え、前記導光板の表面には、凸レンズ部が少なくとも一つの方向に沿って複数並列され、前記導光板の裏面には、前記光を前記表面から出射するように反射させる光反射部と前記光反射部が形成されない非形成部とが、前記凸レンズ部が並列される方向に沿って交互に複数形成され、前記導光板の厚さ方向に平行な方向から見る平面視において、それぞれの前記凸レンズ部と少なくとも一つの前記光反射部とが互いに重なる領域を有することを特徴とする。
【０００８】
凸レンズは光を一点へ向かって集中的に屈折させる機能を有する。したがって、上記のように導光板の表面に複数の凸レンズ部が設けられることによって、導光板を表面から見た場合、それぞれの凸レンズ部を通して導光板の裏面のうち所定の狭い範囲のみを視認することができる。また、導光板の裏面には、上記のように光反射部と非形成部とが交互に形成されている。したがって、凸レンズ部を通して視認される範囲が光反射部を含む場合には、光反射部で反射される光源からの光を視認することができる。一方、凸レンズ部を通して視認される範囲に光反射部が含まれない場合は、光源からの光はほとんど視認されない。このように、導光板の表面を見た場合に凸レンズ部を通して視認される範囲が光反射部を含むか否かによって、光源からの光が見えたり見えなかったりする。また、凸レンズ部を通して視認される範囲が光反射部を含むか否かが視認者の視点と灯具との相対的位置の変化に応じて変わるように、凸レンズ部の形状または光反射部及び非形成部の形成位置等を調整することができる。よって、上記灯具によれば、例えば、視認者の視点と灯具との相対的位置の変化に応じて光が見えたり見えなかったりすることができるため、光が点滅しているように見せたり発光箇所が変化しているように見せたりすることができる。こうして本発明によれば、視認者の視点と灯具との相対的位置の変化に応じて光が変化するように見せることができる灯具を提供することができる。
【０００９】
また、複数の前記光反射部が複数の光反射部群に分けられ、それぞれの前記光反射部群は、前記導光板の平面視において、それぞれ互いに異なる所定の領域の少なくとも外周上に形成され、それぞれの前記光反射部群で反射されて前記導光板の表面から出射する前記光は、それぞれ互いに異なる視点から視認可能であることが好ましい。
【００１０】
上記のように光反射部が形成されることによって、ある視点からはある光反射部群によって反射される光を導光板の表面から視認することができ、他の視点からは他の光反射部群によって反射される光を導光板の表面から視認することができる。また、それぞれの光反射部群が所定の領域の少なくとも外周上に形成されることによって、視認者の視点に応じて線状や様々な形状の領域が発光しているように見せることができる。すなわち、視認者の視点が動くことによって、発光領域の位置や形状が変化するように見せることができる。
【００１１】
また、複数の前記凸レンズ部が並列される方向に直交する方向にそれぞれの前記所定の領域が延在し、それぞれの前記光反射部群で反射されて前記導光板の表面から出射する前記光を視認可能な前記視点の位置は、複数の前記凸レンズ部が並列される方向に沿って変化することが好ましい。
【００１２】
光反射部群の形成される所定の領域が複数の凸レンズ部が並列される方向に直交する方向に延在することによって、光反射部群で反射される光は、凸レンズ部が並列される方向に直交する方向に延在する線状または帯状の光として視認される。また、それぞれの光反射部群で反射されて導光板から出射する光を視認可能な視点の位置が上記のように変化することによって、視認者の視点が凸レンズ部の並列方向に動くときに、線状または帯状の光が視認者の視点の変化に応じて凸レンズ部の並列方向に動くように見せることができる。
【００１３】
また、前記導光板の平面視において、それぞれの前記光反射部群が形成される前記所定の領域の少なくとも一部が互いに重なることが好ましい。
【００１４】
このようにそれぞれの光反射部群が形成されることによって、導光板の発光する領域が視認者の視点の移動に応じて少しずつ動くように見せることができる。
【００１５】
また、前記導光板の平面視において、それぞれの前記光反射部群が形成される前記所定の領域の外形は互いに異なる形状とすることができる。
【００１６】
このようにそれぞれの光反射部群が形成されることによって、導光板の発光する領域の形状が視認者の視点の移動に応じて変化するように見せることができる。
【００１７】
また、複数の前記凸レンズ部は、複数の前記凸レンズ部が並列する方向に対して直交する方向に延在するシリンドリカルレンズとされる。
【００１８】
凸レンズ部がシリンドリカルレンズとされることによって、当該シリンドリカルレンズが延在する方向において、導光板の表面と導光板の裏面のうち非形成部とを平行にすることができる。導光板の表面と非形成部とが平行であることによって、導光板の側面から入射される光は、シリンドリカルレンズが延在する方向において、導光板の表面と非形成部とで一定の角度で内部反射を繰り返して導光板内で導光され易くなる。したがって、非形成部が形成される位置を調整することによって、導光板のうち光を出射させたくない位置では上記のように光を内部反射させ、導光板に入射した光が意図せず導光板から出射されることを抑制することが容易になる。
【００１９】
また、複数の前記凸レンズ部は、互いに直交するそれぞれの方向に並列されても良い。
【００２０】
凸レンズが上記のように並列されることによって、互いに直交するいずれの方向に視認者の視点が動く場合であっても、導光板の表面から出射される光が変化しているように見せることができる。
【００２１】
また、複数の前記凸レンズ部が並列する少なくとも一つの方向に沿って前記表面及び前記裏面が湾曲していることが好ましい。
【００２２】
導光板の裏面のうち凸レンズ部を通して表面から視認可能な範囲は、上記のように、視認者の視点と灯具との相対的位置に応じて変化する。導光板が上記のように湾曲していることによって、導光板が平板状である場合に比べて、視認者の視点の移動に応じて変化する上記視認可能な範囲の位置の変化量が大きくなる。したがって、導光板が上記のように湾曲していることによって、視認者の視点の移動に応じて変化する光の変化量を大きくすることができる。
【発明の効果】
【００２３】
以上のように、本発明によれば、視認者の視点と灯具との相対的位置の変化に応じて光が変化するように見せることができる灯具が提供される。
【図面の簡単な説明】
【００２４】
【図１】本発明の実施形態に係る灯具を示す斜視図である。
【図２】図１に示す灯具のＩＩ−ＩＩに沿った鉛直方向の断面図である。
【図３】図１に示す灯具のＩＩＩ−ＩＩＩに沿った水平方向の断面図である。
【図４】図１に示す導光板の鉛直方向断面の一部を示す図である。
【図５】図１に示す導光板の水平方向断面の一部を示す図である。
【図６】図１に示す導光板を厚さ方向に平行な方向から見たときの光反射部の配置を概略的に示す図である。
【図７】変形例に係る導光板を図６と同様に示す図である。
【図８】他の変形例に係る導光板を図６と同様に示す図である。
【図９】更なる他の変形例に係る導光板の一部の表面及び裏面を概略的に示す斜視図である。
【図１０】他の実施形態にかかる灯具を図１と同様に示す斜視図である。
【発明を実施するための形態】
【００２５】
以下、本発明に係る灯具の好適な実施形態について図面を参照しながら詳細に説明する。
【００２６】
図１は、本発明の実施形態に係る灯具を示す斜視図である。図１には、灯具の一例として車両用前照灯が示されている。図２は、図１に示す灯具のＩＩ−ＩＩに沿った鉛直方向の断面図である。図３は、図１に示す灯具のＩＩＩ−ＩＩＩに沿った水平方向の断面図である。なお、見易さのため、図１では、筐体と副光源部の遮光部材とを省略している。図１から図３に示すように、本実施形態の灯具１は、主光源部２と副光源部３とを備える。
【００２７】
図２に示すように、主光源部２及び副光源部３は筐体２０内に収容されている。  
【００２８】
筐体２０は、ランプハウジング２０ａ、フロントカバー２０ｂ及びバックカバー２０ｃを主な構成要素として備える。ランプハウジング２０ａの前方及び後に詳述する副光源部３が備えられる側である側方は開口しており、当該開口を塞ぐようにフロントカバー２０ｂがランプハウジング２０ａに固定されている。また、ランプハウジング２０ａの後方には前方よりも小さな開口が形成されており、当該開口を塞ぐようにバックカバー２０ｃがランプハウジング２０ａに固定されている。ランプハウジング２０ａと、上記のようにランプハウジング２０ａに固定されるフロントカバー２０ｂ及びバックカバー２０ｃとによって形成される空間は灯室ＬＲであり、この灯室ＬＲ内に主光源部２及び副光源部３が収容されている。
【００２９】
主光源部２は、光源ユニット２１、リフレクタ２２、ベースプレート２３、シェード２４、レンズホルダ２５、及び、投影レンズ２６を主な構成要素として備える。
【００３０】
光源ユニット２１は、主光源２１ａ、発光制御回路２１ｂ、ヒートシンク２１ｃ、及び冷却ファン２１ｄを主な構成要素として備える。本実施形態の主光源部２において、主光源２１ａはＬＥＤである。発光制御回路２１ｂは主光源２１ａの発光を制御する。ヒートシンク２１ｃは板状のベースを備えており、当該ベースの一方の面側には主光源２１ａ及び発光制御回路２１ｂが載置され、当該ベースの他方の面側には放熱フィンが設けられる。また、ヒートシンク２１ｃの放熱フィンが設けられる側には、冷却ファン２１ｄが配置されている。
【００３１】
リフレクタ２２は、主光源２１ａに被さるようにして光源ユニット２１に固定されている。また、リフレクタ２２は主光源２１ａと対向する面に反射面２２ａを有している。主光源２１ａから出射する光の少なくとも一部は、反射面２２ａによって投影レンズ２６側へ反射され、投影レンズ２６を透過して出射する。
【００３２】
投影レンズ２６は、レンズホルダ２５を介して光源ユニット２１に固定される。投影レンズ２６は後側焦点を含む焦点面である後側焦点面上に形成される光源像を反転像として投影する。従って、シェード２４が当該後側焦点面上に配置されることによって、シェード２４の形態に応じた配光パターンの光が投影レンズ２６から出射される。
【００３３】
シェード２４は主光源２１ａからの光の一部を遮る部材である。主光源２１ａから出射する光がシェード２４によって制御されて投影レンズ２６に入射することにより、投影レンズ２６から出射する光を所望の配光パターンとすることができる。
【００３４】
ベースプレート２３は、レンズホルダ２５と光源ユニット２１とに挟まれて固定される。また、ベースプレート２３は外周部に貫通孔２３ａを有しており、当該貫通孔２３ａにボルト等を通してベースプレート２３がランプハウジング２０ａに固定されることによって、主光源部２がランプハウジング２０ａに固定される。また、ベースプレート２３は主光源２１ａから出射する光が通る開口２３ｈを有しており、主光源２１ａから出射する光はベースプレート２３の開口２３ｈを通って投影レンズ２６に入射する。
【００３５】
副光源部３は、図１及び図３に示すように、導光板４、副光源５、及び遮光部材６を主な構成要素として備えている。
【００３６】
本実施形態の副光源５は、ＬＥＤ５ａとＬＥＤ５ａから出射される光が入射するライトパイプ５ｂとを備える。ＬＥＤ５ａはライトパイプ５ｂの長手方向の一方の端部側に配置されている。ＬＥＤ５ａから出射されてライトパイプ５ｂの一端に入射する光は、ライトパイプ５ｂの他端側に向かって長手方向に導光されつつ少しずつライトパイプ５ｂの側面から出射される。また、ライトパイプ５ｂは、後述する導光板４の側面に沿って延在しており、上記のようにライトパイプ５ｂの側面から出射される光が導光板４の側面に入射するように配置されている。なお、ＬＥＤ５ａから出射される光を有効に利用する等の観点から、ライトパイプ５ｂの側面のうち導光板４側以外の面は不図示の光反射部材や遮光部材に囲われることが好ましい。
【００３７】
本実施形態の導光板４は、図１及び図３に示すように、概ね平板状の部材である。  
【００３８】
図４は、導光板４の鉛直方向断面の一部を示す図である。図５は、導光板４の水平方向断面の一部を示す図である。
【００３９】
導光板４の表面には、凸レンズ部４１が複数形成されている。本実施形態の凸レンズ部４１は、それぞれ水平方向に延在するシリンドリカルレンズからなる。複数の凸レンズ部４１は、複数の凸レンズ部４１が延在する方向と直交する方向に並列されている。
【００４０】
導光板４の裏面には、図４に示すように、導光板４の側面から入射する光を導光板４の表面から出射するように反射させる光反射部４２と光反射部４２が形成されない非形成部４３とが、複数の凸レンズ部４１が並列される方向に沿って交互に複数形成されている。また、本実施形態の光反射部４２及び非形成部４３は、図５からわかるように、凸レンズ部４１が延在する方向にも交互に複数形成されている。
【００４１】
本実施形態の光反射部４２は、図５からわかるように、所定の角度を有する反射面４２ｒを有する部位とされる。非形成部４３は、凸レンズ部４１の底面に対して概ね平行な面とされる。このような複数の光反射部４２及び非形成部４３は、所定の領域における導光板４の平面視において、それぞれの凸レンズ部４１と少なくとも一つの光反射部４２とが互いに重なるように形成されている。
【００４２】
図６は、図１に示す導光板４の表面を導光板４の中心の厚さ方向に平行な方向から見たときの光反射部４２の配置を概略的に示す図である。図６において、光反射部４２は破線で示されている。本実施形態の導光板４では、図４及び図６に示すように、複数の凸レンズ部４１の並列方向に並列される複数の光反射部４２はそれぞれ凸レンズ部４１との相対的位置が変化し、凸レンズ部４１が延在する方向に並列される複数の光反射部４２はそれぞれ凸レンズ部４１との相対的位置が概ね同じである。
【００４３】
遮光部材６は、導光板４の裏面側を覆うように配置される。遮光部材６の導光板４側の面は、光を反射する光反射面であることが好ましい。このような遮光部材６が設けられることによって、導光板４の裏面から漏れる光を有効に利用することが容易になる。
【００４４】
次に、副光源部３からの光の出射について説明する。
【００４５】
図５には、導光板４に入射する光の光路例Ｌ１，Ｌ２を示している。上記のようにライトパイプ５ｂの側面から出射された光は、導光板４の側面から入射する。側面から導光板４に入射した光のうち一部は、光路例Ｌ１のように、導光板４の表面と裏面の非形成部４３との間で内部反射を繰り返しながら、主に水平方向に導光される。また、側面から導光板４に入射した光のうち他の一部は、光路例Ｌ２のように、光反射部４２の反射面４２ｒに入射して導光板４の表面から出射するように反射される。このように、側面から導光板４に入射した光は、導光板４内を主に水平方向に導光されつつ、少しずつ導光板４の表面から出射される。このように導光板４の表面から出射される光は、以下のように視認される。
【００４６】
導光板４の表面には、上記のように複数の凸レンズ部４１が設けられている。凸レンズは、光を一点へ向かって集中的に屈折させる機能を有する。したがって、導光板４の表面を見た場合、それぞれの凸レンズ部４１を通して導光板４の裏面のうち所定の狭い範囲のみが視認される。また、導光板４の裏面には、上記のように光反射部４２と非形成部４３とが交互に形成されている。したがって、凸レンズ部４１を通して視認される範囲が光反射部４２を含む場合は、光反射部４２で反射されて上記のように導光板４の表面から出射される光を視認することができる。一方、凸レンズ部４１を通して視認される範囲が光反射部４２を含まない場合は、副光源５からの光はほとんど視認されない。このように、導光板４の表面を見た場合に凸レンズ部４１を通して視認される範囲が光反射部４２を含むか否かによって、副光源５からの光が見えたり見えなかったりする。
【００４７】
ここで、本実施形態の導光板４では、導光板４の位置によって上記のように凸レンズ部４１と光反射部４２との相対的位置が異なる。よって、図４に示すように、ある視点Ｖ１から導光板４を見る場合は、導光板４の下側に位置する光反射部４２によって反射される副光源５からの光を視認可能であるが、導光板４の上側からは副光源５からの光をほとんど視認することができない。また、他の視点Ｖ２から導光板４を見る場合は、導光板４の上側に位置する光反射部４２によって反射される副光源５からの光を視認可能であるが、導光板４の下側からは副光源５からの光をほとんど視認することができない。
【００４８】
このように、凸レンズ部４１を通して視認される範囲が光反射部４２を含むか否かは、視認者の視点に応じて変わる。よって、灯具１は、視認者の視点と灯具１との相対的位置の変化に応じて光が点滅しているように見せたり発光箇所が変化しているように見せたりすることができる。
【００４９】
ここで、同一の視点から視認可能な複数の光反射部４２を光反射部群とし、当該光反射部群が形成される所定の領域を規定する。すなわち、複数の光反射部４２を複数の光反射部群に分け、導光板４の厚さ方向に平行な方向から見る平面視において、それぞれの光反射部群が互いに異なる所定の領域の少なくとも外周上に形成されると考える。
【００５０】
上記のように複数の光反射部４２が形成されることによって、ある視点からはある光反射部群によって反射される光を導光板４の表面から視認することができ、他の視点からは他の光反射部群によって反射される光を導光板４の表面から視認することができる。また、それぞれの光反射部群が所定の領域の少なくとも外周上に形成されることによって、視認者の視点に応じて線状や様々な面状の領域が発光しているように見せることができる。すなわち、視認者の視点が動くことによって、発光領域の位置や形状が変化するように見せることができる。
【００５１】
本実施形態の導光板４では、上記のように、複数の凸レンズ部４１の並列方向に並列される複数の光反射部４２はそれぞれ凸レンズ部４１との相対的位置が変化する。また、凸レンズ部４１が延在する方向に並列される複数の光反射部４２は、それぞれ凸レンズ部４１との相対的位置が概ね同じである。したがって、同一の視点から視認可能な複数の光反射部４２からなる光反射部群は、複数の凸レンズ部４１が並列される方向に直交する方向に並列される。すなわち、図６に示すように、光反射部群が形成される所定の領域４２ａ，４２ｂ，４２ｃは、複数の凸レンズ部４１が並列される方向に直交する方向に延在する。それぞれの領域４２ａ，４２ｂ，４２ｃに形成される光反射部群で反射されて導光板４の表面から出射する光は、それぞれ互いに異なる視点から視認可能である。また、それぞれの光反射部群で反射されて導光板４の表面から出射する光を視認可能な視点の位置は、複数の凸レンズ部４１が並列される方向に沿って変化する。
【００５２】
光反射部群の形成される領域４２ａ，４２ｂ，４２ｃが複数の凸レンズ部４１が並列される方向に直交する方向に延在することによって、光反射部群で反射される光は、凸レンズ部４１が並列される方向に直交する方向に延在する線状または帯状の光として視認される。また、それぞれの光反射部群で反射されて導光板４から出射する光を視認可能な視点の位置が上記のように変化することによって、視認者の視点が複数の凸レンズ部４１の並列方向に動くときに、線状または帯状の光が視認者の視点の変化に応じて複数の凸レンズ部４１の並列方向に動くように見せることができる。
【００５３】
なお、本実施形態の導光板４では、凸レンズ部４１と光反射部４２との相対的位置は徐々に変化しているため、互いに隣り合う複数の凸レンズ部４１と平面視において重なる領域に形成される複数の光反射部４２が一つの光反射部群とされる。また、導光板４の平面視において、光反射部群が形成されるそれぞれの領域４２ａ，４２ｂ，４２ｃの少なくとも一部は互いに重なる。このようにそれぞれの光反射部群が形成されることによって、導光板４の発光する領域が視認者の視点の移動に応じて少しずつ動くように見せることができる。
【００５４】
また、本実施形態では凸レンズ部４１がシリンドリカルレンズとされることによって、当該シリンドリカルレンズが延在する方向において、図５に示すように、導光板４の表面と導光板４の裏面のうち非形成部４３とを平行にすることができる。導光板４の表面と非形成部４３とが平行であることによって、導光板４の側面から入射される光は、シリンドリカルレンズが延在する方向において、導光板４の表面と非形成部４３とで一定の角度で内部反射を繰り返して導光板４内で光路例Ｌ１にように導光され易くなる。したがって、非形成部４３が形成される位置を調整することによって、導光板４のうち光を出射させたくない位置では上記のように光を内部反射させ、導光板４に入射した光が意図せず導光板４から出射されることを抑制することが容易になる。
【００５５】
また、光反射部４２で反射された光は凸レンズ部４１を通して視認されることによって、導光板４の奥に光源が存在するかのように見せることができる。
【００５６】
以上、本発明について実施形態を例に説明したが、本発明は当該実施形態に限定されるものではない。
【００５７】
上記実施形態では３つの長方形の領域４２ａ，４２ｂ，４２ｃに光反射部群が形成される例を挙げて説明したが、光反射部群が形成される領域の形状及び数は特に限定されない。図７は、変形例に係る導光板を図６と同様に示す図である。図７に示す導光板４ａでは、二つの円形の領域４２ｄ，４２ｅの外周上及び内側に光反射部群が形成される例を示している。図７では、領域４２ｄに形成される複数の光反射部４２は破線で示され、領域４２ｅに形成される複数の光反射部４２は点線で示されている。領域４２ｄに形成される複数の光反射部４２は、平面視においてそれぞれ凸レンズ部４１の中心に対して上方に形成され、領域４２ｅに形成される複数の光反射部４２は、平面視においてそれぞれ凸レンズ部４１の中心に対して下方に形成されている。また、領域４２ｄ，４２ｅは互いに左右方向にずれている。このような導光板４ａでは、視認者の視線が上下方向に動くことによって、領域４２ｄに形成される光反射部４２によって反射される光が見えたり、領域４２ｅに形成される光反射部４２によって反射される光が見えたりする。したがって、視認者の視点が上下に動いたときに円形の発光領域が左右方向に動いているように見せることができる。
【００５８】
また、上記実施形態では同様の形状の領域４２ａ，４２ｂ，４２ｃに光反射部群が形成される例を挙げて説明したが、光反射部群が形成されるそれぞれの領域の形状は互いに異なっていても良い。図８は、他の変形例に係る導光板を図６と同様に示す図である。図８に示す導光板４ｂでは、円形の領域４２ｆ及び長方形の領域４２ｇのそれぞれの外周上及び内側に光反射部群が形成される例を示している。図８では、領域４２ｆに形成される複数の光反射部４２は破線で示され、領域４２ｇに形成される複数の光反射部４２は点線で示されている。領域４２ｆに形成される複数の光反射部４２は、平面視においてそれぞれ凸レンズ部４１の中心に対して上方に形成され、領域４２ｇに形成される複数の光反射部４２は、平面視においてそれぞれ凸レンズ部４１の中心に対して下方に形成されている。また、領域４２ｆ，４２ｇは互いに左右方向にずれている。このような導光板４ｂでは、視認者の視線が上下方向に動くことによって、領域４２ｆに形成される光反射部４２によって反射される光が見えたり、領域４２ｇに形成される光反射部４２によって反射される光が見えたりする。したがって、視認者の視点が上下に動いたときに発光領域の位置が変わると共に発光領域の形状が円形に見えたり長方形に見えたりする。
【００５９】
また、上記実施形態では凸レンズ部４１がシリンドリカルレンズである例を挙げて説明したが、複数の凸レンズ部４１は、互いに直交するそれぞれの方向に並列されても良い。図９は、更なる他の変形例に係る導光板の一部の表面及び裏面を概略的に示す斜視図である。図９では、理解を容易にするため、導光板４ｃの表面と裏面とを分離して示している。また、図９では、複数の凸レンズ部４１のうち一部の凸レンズ部４１の中心を通る法線を一点鎖線で示し、平面視において互いに隣り合う凸レンズ部４１の境界が裏面に投影される位置を破線で示している。本変形例に係る導光板４ｃでは、複数の凸レンズ部４１の並列方向、すなわち、直交するそれぞれの方向に沿って並列される複数の光反射部４２は、それぞれ凸レンズ部４１との相対的位置が異なる。したがって、互いに直交するいずれの方向に視認者の視点が動く場合であっても、導光板４ｃの表面から出射される光が変化するように見せることができる。
【００６０】
また、これまでの本発明の説明では、凸レンズ部４１と光反射部４２との相対的位置を変化させることによって、視認者の視点の移動に応じて視認可能となる光反射部４２が変わる例を挙げて説明した。しかし、本発明は当該形態に限定されず、複数の凸レンズ部の形状や大きさを変化させることによって、視認者の視点の移動に応じて視認可能となる光反射部４２が変わる形態とすることもできる。
【００６１】
また、これまでの本発明の説明では、導光板の一つの側面から光が入射される例を挙げて説明したが、複数の側面から導光板に光が入射される形態とすることもできる。
【００６２】
また、上記実施形態では、光反射部４２が所定の角度の反射面４２ｒを有する場合を例に挙げて説明したが、光反射部は光源からの光を導光板の表面から出射されるように反射できる部位であれば特に限定されない。例えば、所定のパターンで印刷された光を乱反射する部位や所定のパターンで貼り付けられた光を乱反射するフィルム等を光反射部とすることもできる。
【００６３】
また、上記実施形態では、それぞれの光反射部群が形成される領域の少なくとも一部が重なっている例を挙げて説明したが、それぞれの光反射部群が形成される領域は互いに重なっていなくても良い。また、光反射部群は所定の領域の外周上にのみ形成されても良い。
【００６４】
また、上記実施形態では、ライトガイドを用いて導光板に光を入射させる例を挙げて説明したが、ＬＥＤ等の光源から導光板に直接光を入射させても良い。
【００６５】
また、上記実施形態では、導光板が平板状である例を挙げて説明したが、導光板は湾曲していても良い。図１０は、他の実施形態に係る灯具を図１と同様に示す斜視図である。図１０において、図１と同様の構成のものには同じ符号を付して説明を省略する。図１０に示す灯具のＩＩ−ＩＩに沿った鉛直方向の断面は図２と同様であり、図１０に示す灯具のＩＩＩ−ＩＩＩに沿った水平方向の断面は図３と同様である。図１０に示す灯具１０１の副光源部１０３は、湾曲した導光板１０４と、導光板１０４の側面に沿って湾曲したガイドライン１０５ｂを有する副光源１０５とを備える。本実施形態の導光板１０４は、図１０に示すように、表面及び裏面が主光源部２の投影レンズ２６の外形に沿うように湾曲している。導光板１０４の裏面のうち凸レンズ部４１を通して表面から視認可能な範囲は、視認者の視点と灯具１０１との相対的位置に応じて変化する。導光板１０４が上記のように湾曲していることによって、導光板１０４が平板状である場合に比べて、視認者の視点の移動に応じて変化する上記視認可能な範囲の位置の変化量が大きくなる。したがって、導光板１０４が上記のように湾曲していることによって、視認者の視点の移動に応じて変化する光の変化量を大きくすることができる。
【産業上の利用可能性】
【００６６】
以上説明したように、本発明の灯具は、意匠性の向上に寄与することができ、車両用灯具等に好適に利用される。
【符号の説明】
【００６７】
１，１０１・・・灯具
２・・・主光源部
３，１０３・・・副光源部
４，４ａ，４ｂ，４ｃ，１０４・・・導光板
５，１０５・・・副光源（光源）
４１・・・凸レンズ部
４２・・・光反射部
４２ａ，４２ｂ，４２ｃ，４２ｄ，４２ｅ，４２ｆ，４２ｇ・・・領域
４３・・・非形成部 
【図１】
2018063890.tif 000003
【図２】
2018063890.tif 000004
【図３】
2018063890.tif 000005
【図４】
2018063890.tif 000006
【図５】
2018063890.tif 000007
【図６】
2018063890.tif 000008
【図７】
2018063890.tif 000009
【図８】
2018063890.tif 000010
【図９】
2018063890.tif 000011
【図１０】
2018063890.tif 000012